【手続補正書】
【提出日】平成27年2月26日(2015.2.26)
【手続補正１】
【補正対象書類名】特許請求の範囲
【補正対象項目名】全文
【補正方法】変更
【補正の内容】
【特許請求の範囲】
【請求項１】
第１および第２のトランジスタが一対となって構成される差動対を有し、前記第１および第２のトランジスタそれぞれのゲート電極に入力される信号の差分を増幅して出力する第１の増幅部と、
前記第１の増幅部から出力される信号を増幅する第２の増幅部と、
前記第１のトランジスタと電源電圧とを接続する第３のトランジスタと、
前記第２のトランジスタと電源電圧とを接続する第４のトランジスタと、
前記第３のトランジスタおよび前記第４のトランジスタのゲート電極どうしの接続点と前記第３のトランジスタのドレインとを接続する第５のトランジスタと、
前記第３のトランジスタおよび前記第４のトランジスタのゲート電極どうしの接続点と前記第４のトランジスタのドレインとを接続する第６のトランジスタと
を備えるコンパレータ。
【請求項２】
前記第１の増幅部および前記第２の増幅部の回路内部における初期電圧を設定するオートゼロ動作が並行して行われる
請求項１に記載のコンパレータ。
【請求項３】
前記第１の増幅部および前記第２の増幅部の前記オートゼロ動作が並行して行われている期間と、前記信号レベルの画素信号をデジタル信号に変換する期間および前記リセットレベルの画素信号をデジタル信号に変換する期間とで、前記第５のトランジスタおよび前記第６のトランジスタによる接続を、前記第３のトランジスタのドレインとの接続、または、前記第４のトランジスタのドレインとの接続のいずれかに切り替える
請求項１または２に記載のコンパレータ。
【請求項４】
前記第１のトランジスタの前記ゲート電極、および、一定の勾配で電圧値が降下する参照信号を供給する参照信号供給部の間に配置される第１のコンデンサと、
前記第２のトランジスタの前記ゲート電極、および、光電変換により発生した電荷に応じた信号レベルの画素信号を出力する画素から前記画素信号を読み出す画素信号配線の間に配置される第２のコンデンサと、
前記第１のトランジスタの前記ゲート電極と前記第１のコンデンサとの接続点、および、前記画素信号配線を接続する第７のトランジスタと、
前記第２のトランジスタの前記ゲート電極と前記第２のコンデンサとの接続点、および、前記画素信号配線を接続する第８のトランジスタと
をさらに備える請求項１乃至３のいずれかに記載のコンパレータ。
【請求項５】
前記画素から前記信号レベルの画素信号を先に読み出した後に前記電荷がリセットされたリセットレベルの画素信号を読み出す駆動を行う場合、前記第１の増幅部の前記オートゼロ動作を行う際に、前記第７および第８のトランジスタをオンにして、前記画素信号配線を介して供給される画素信号の電圧を前記第１および第２のトランジスタそれぞれのゲート電極に供給する
請求項４に記載のコンパレータ。
【請求項６】
前記第１のトランジスタの前記ゲート電極、および、一定の勾配で電圧値が降下する参照信号を供給する参照信号供給部の間に配置される第１のコンデンサと、
前記第２のトランジスタの前記ゲート電極、および、光電変換により発生した電荷に応じた信号レベルの画素信号を出力する画素から前記画素信号を読み出す画素信号配線の間に配置される第２のコンデンサと、
前記第１のトランジスタの前記ゲート電極と前記第１のコンデンサとの接続点、および、所定の外部印加電圧を供給する配線を接続する第９のトランジスタと、
前記第２のトランジスタの前記ゲート電極と前記第２のコンデンサとの接続点、および、所定の外部印加電圧を供給する配線を接続する第１０のトランジスタと
をさらに備える請求項１乃至５のいずれかに記載のコンパレータ。
【請求項７】
前記画素から前記信号レベルの画素信号を先に読み出した後に前記電荷がリセットされたリセットレベルの画素信号を読み出す駆動を行う場合、前記第１の増幅部の前記オートゼロ動作を行う際に、前記第９および第１０のトランジスタをオンにして、前記外部印加電圧を前記第１および第２のトランジスタそれぞれのゲート電極に供給する
請求項６に記載のコンパレータ。
【請求項８】
光電変換により発生した電荷に応じた信号レベルの画素信号を出力する画素と、
前記画素から出力される画素信号をデジタル信号に変換する変換部が前記画素の列数に応じて並列に配置されるカラム処理部と
を備え、
前記変換部が有するコンパレータが、
第１および第２のトランジスタが一対となって構成される差動対を有し、前記第１および第２のトランジスタそれぞれのゲート電極に入力される信号の差分を増幅して出力する第１の増幅部と、
前記第１の増幅部から出力される信号を増幅する第２の増幅部と、
前記第１のトランジスタと電源電圧とを接続する第３のトランジスタと、
前記第２のトランジスタと電源電圧とを接続する第４のトランジスタと、
前記第３のトランジスタおよび前記第４のトランジスタのゲート電極どうしの接続点と前記第３のトランジスタのドレインとを接続する第５のトランジスタと、
前記第３のトランジスタおよび前記第４のトランジスタのゲート電極どうしの接続点と前記第４のトランジスタのドレインとを接続する第６のトランジスタと
を有する固体撮像素子。
【請求項９】
光電変換により発生した電荷に応じた信号レベルの画素信号を出力する画素と、
前記画素から出力される画素信号をデジタル信号に変換する変換部が前記画素の列数に応じて並列に配置されるカラム処理部と
を備え、
前記変換部が有するコンパレータが、
第１および第２のトランジスタが一対となって構成される差動対を有し、前記第１および第２のトランジスタそれぞれのゲート電極に入力される信号の差分を増幅して出力する第１の増幅部と、
前記第１の増幅部から出力される信号を増幅する第２の増幅部と、
前記第１のトランジスタと電源電圧とを接続する第３のトランジスタと、
前記第２のトランジスタと電源電圧とを接続する第４のトランジスタと、
前記第３のトランジスタおよび前記第４のトランジスタのゲート電極どうしの接続点と前記第３のトランジスタのドレインとを接続する第５のトランジスタと、
前記第３のトランジスタおよび前記第４のトランジスタのゲート電極どうしの接続点と前記第４のトランジスタのドレインとを接続する第６のトランジスタと
を有する固体撮像素子を備える電子機器。
【請求項１０】
第１および第２のトランジスタが一対となって構成される差動対を有し、前記第１および第２のトランジスタそれぞれのゲート電極に入力される信号の差分を増幅して出力する第１の増幅部と、
前記第１の増幅部から出力される信号を増幅する第２の増幅部と、
前記第１のトランジスタと電源電圧とを接続する第３のトランジスタと、
前記第２のトランジスタと電源電圧とを接続する第４のトランジスタと、
前記第３のトランジスタおよび前記第４のトランジスタのゲート電極どうしの接続点と前記第３のトランジスタのドレインとを接続する第５のトランジスタと、
前記第３のトランジスタおよび前記第４のトランジスタのゲート電極どうしの接続点と前記第４のトランジスタのドレインとを接続する第６のトランジスタと
を備えるコンパレータの駆動方法において、
前記第１の増幅部および前記第２の増幅部の回路内部における初期電圧を設定するオートゼロ動作が並行して行われる
駆動方法。
【手続補正２】
【補正対象書類名】明細書
【補正対象項目名】００１８
【補正方法】削除
【補正の内容】
【手続補正３】
【補正対象書類名】明細書
【補正対象項目名】００３８
【補正方法】変更
【補正の内容】
【００３８】
増幅トランジスタ４５は、フォトダイオード４１での光電変換によって得られる信号を読み出す読出し回路であるソースフォロワの入力部となり、ＦＤ部４４に蓄積されている電荷に応じたレベルの画素信号を垂直信号線２３に出力する。すなわち、増幅トランジスタ４５は、ソース電極が選択トランジスタ４６を介して垂直信号線２３に接続されることで、垂直信号線２３の一端に接続される電流源とソースフォロワを構成する。